(57)【特許請求の範囲】
【請求項１】
第１の光ケーブルの光ファイバの心線と、第２の光ケーブルの光ファイバの心線とを、ともに一方の端部で融着接続するための融着接続機を備えた光ファイバ心線融着システムであって、
融着作業前に、前記第１の光ケーブルの他方の端部から、前記第１の光ケーブルの各心線に対応する周波数を持つ心線識別情報を光信号として入力して伝送させるための第１の光信号装置と、融着作業前に、前記第２の光ケーブルの他方の端部から、前記第２の光ケーブルの各心線に対応する周波数を持つ心線識別情報を光信号として入力して伝送させるための第２の光信号装置とを備え、
前記融着接続機は、融着作業前に、接続対象の前記第１の光ケーブルの各心線及び前記第２の光ケーブルの各心線を伝送して受信した光信号に基づいて、各心線識別情報を認識する心線情報認識処理を行い、この後、前記心線情報認識処理で認識した両前記心線識別情報が、一致するか否かを判定する心線一致判定処理とを行い、前記心線一致判定処理で両前記心線識別情報が一致すると、前記融着接続を行う、
ことを特徴とする光ファイバ心線融着システム。
【請求項２】
前記第１の光信号装置と前記第２の光信号装置とのうち、少なくとも一方は、損失を測定するための光パワーメータを有することを特徴とする請求項１に記載の光ファイバ心線融着システム。
【請求項３】
前記第１の光信号装置と前記第２の光信号装置とのうち、前記光パワーメータを有する光信号装置にネットワークを介して接続されて、作業員が接続作業箇所で用いる作業員端末を備え、前記光パワーメータを有する光信号装置は、損失測定結果を前記ネットワークを介して前記作業員端末へ送信することを特徴とする請求項１又は２に記載の光ファイバ心線融着システム。
【請求項４】
第１の光ケーブルの光ファイバの心線と、第２の光ケーブルの光ファイバの心線とを、ともに一方の端部で融着接続するための融着接続機を用いた光ファイバ心線融着方法であって、
第１の光信号装置によって、前記第１の光ケーブルの他方の端部から、前記第１の光ケーブルの各心線に対応する周波数を持つ心線識別情報を光信号として入力して伝送させ、第２の光信号装置によって、前記第２の光ケーブルの他方の端部から、前記第２の光ケーブルの各心線に対応する周波数を持つ心線識別情報を光信号として入力して伝送させ、
前記融着接続機は、融着作業前に、接続対象の前記第１の光ケーブルの心線及び前記第２の光ケーブルの心線を伝送して受信した光信号に基づいて、各心線識別情報を認識する心線情報認識処理を行い、この後、前記心線情報認識処理で認識した両前記心線識別情報が、一致するか否かを融着作業前に判定する心線一致判定処理とを行い、前記心線一致判定処理で両前記心線識別情報が一致すると、前記融着接続を行う、
ことを特徴とする光ファイバ心線融着方法。
【発明の詳細な説明】
【技術分野】
【０００１】
この発明は、光ファイバの心線を融着接続するための光ファイバ心線融着システム及び光ファイバ心線融着方法に関する。
【背景技術】
【０００２】
従来より、光ファイバの心線を接続するために、融着接続機が用いられている。光ファイバの心線を融着接続機にセットすると、融着接続機は、心線同士のＸ軸を合わせ、Ｙ軸を合わせ、アーク放電で融着し推定接続損失を表示する。ところで、融着接続する光ファイバの心線数は、例えば、多心で１０００心（例えば、８心のテープ心線使用）の場合で、１２５回融着接続する必要がある。作業者は、目視により、光ケーブルのスロットルから心線の順番を割り出す。したがって、接続途中で見誤ると、誤った箇所からやり直しとなって、多大な作業時間を要してしまう。
【０００３】
このため、端部が対向配置された両テープ心線に光を投射して、反射光をカラーフィルタを介して、白黒ＴＶカメラで観測して、心線同士の位置合せを行う技術が提案されている（例えば、特許文献１参照。）。
【先行技術文献】
【特許文献】
【０００４】
【特許文献１】特開２００１−４８６６号公報
【発明の概要】
【発明が解決しようとする課題】
【０００５】
しかしながら、上記従来技術において、心線同士の位置合わせは可能でも、正しい番号同士で接続できるとは限らない。例えば、８心のテープ心線同士を接続する場合の１番と８番との誤接続は、回避できない。
【０００６】
この発明は、前記の課題を解決し、対応する光ファイバの心線同士を正確かつ迅速に接続することができる光ファイバ心線融着システム及び光ファイバ心線融着方法を提供することを目的としている。
【課題を解決するための手段】
【０００７】
上記目的を達成するために請求項１に記載の発明は、第１の光ケーブルの光ファイバの心線と、第２の光ケーブルの光ファイバの心線とを、ともに一方の端部で融着接続するための融着接続機を備えた光ファイバ心線融着システムであって、融着作業前に、前記第１の光ケーブルの他方の端部から、前記第１の光ケーブルの各心線に対応する周波数を持つ心線識別情報を光信号として入力して伝送させるための第１の光信号装置と、融着作業前に、前記第２の光ケーブルの他方の端部から、前記第２の光ケーブルの各心線に対応する周波数を持つ心線識別情報を光信号として入力して伝送させるための第２の光信号装置とを備え、前記融着接続機は、融着作業前に、接続対象の前記第１の光ケーブルの各心線及び前記第２の光ケーブルの各心線を伝送して受信した光信号に基づいて、各心線識別情報を認識する心線情報認識処理を行い、この後、前記心線情報認識処理で認識した両前記心線識別情報が、一致するか否かを判定する心線一致判定処理とを行い、前記心線一致判定処理で両前記心線識別情報が一致すると、前記融着接続を行うことを特徴としている。
【０００８】
請求項１の発明では、融着作業前に、第１の光信号装置によって、第１の光ケーブルの他方の端部から、第１の光ケーブルの各心線に対応する周波数を持つ心線識別情報を光信号として入力して伝送させ、第２の光信号装置によって、第２の光ケーブルの他方の端部から、第２の光ケーブルの各心線に対応する周波数を持つ心線識別情報を光信号として入力して伝送させ、融着接続機は、融着作業前に、接続対象の前記第１の光ケーブルの各心線及び前記第２の光ケーブルの各心線を伝送して受信した光信号に基づいて、各心線識別情報を認識する心線情報認識処理を行い、この後、前記心線情報認識処理で認識した両前記心線識別情報が、一致するか否かを判定する心線一致判定処理とを行い、前記心線一致判定処理で両前記心線識別情報が一致すると、前記融着接続を行う。
【０００９】
請求項２の発明は、請求項１に記載の光ファイバ心線融着システムであって、前記第１の光信号装置と前記第２の光信号装置とのうち、少なくとも一方は、損失を測定するための光パワーメータを有することを特徴としている。
【００１０】
請求項３の発明は、請求項１又は２に記載の光ファイバ心線融着システムであって、前記第１の光信号装置と前記第２の光信号装置とのうち、前記光パワーメータを有する光信号装置にネットワークを介して接続されて、作業員が接続作業箇所で用いる作業員端末を備え、前記光パワーメータを有する光信号装置は、損失測定結果を前記ネットワークを介して前記作業員端末へ送信することを特徴としている。
【００１１】
請求項４の発明は、第１の光ケーブルの光ファイバの心線と、第２の光ケーブルの光ファイバの心線とを、ともに一方の端部で融着接続するための融着接続機を用いた光ファイバ心線融着方法であって、第１の光信号装置によって、前記第１の光ケーブルの他方の端部から、前記第１の光ケーブルの各心線に対応する周波数を持つ心線識別情報を光信号として入力して伝送させ、第２の光信号装置によって、前記第２の光ケーブルの他方の端部から、前記第２の光ケーブルの各心線に対応する周波数を持つ心線識別情報を光信号として入力して伝送させ、前記融着接続機は、融着作業前に、接続対象の前記第１の光ケーブルの心線及び前記第２の光ケーブルの心線を伝送して受信した光信号に基づいて、各心線識別情報を認識する心線情報認識処理を行い、この後、前記心線情報認識処理で認識した両前記心線識別情報が、一致するか否かを融着作業前に判定する心線一致判定処理とを行い、前記心線一致判定処理で両前記心線識別情報が一致すると、前記融着接続を行うことを特徴としている。
【発明の効果】
【００１２】
請求項１の発明によれば、融着作業前に、第１の光信号装置によって、第１の光ケーブルの他方の端部から、第１の光ケーブルの各心線に対応する周波数を持つ心線識別情報を光信号として入力して伝送させ、第２の光信号装置によって、第２の光ケーブルの他方の端部から、第２の光ケーブルの各心線に対応する周波数を持つ心線識別情報を光信号として入力して伝送させ、融着接続機は、接続対象の第１の光ケーブルの心線及び第２の光ケーブルの心線を伝送され、一方の端部で受信された光信号を基に認識された両心線識別情報が、一致するか否かを判定し、両前記心線識別情報が一致すると、融着接続をするので、対応する光ファイバの心線同士を正確かつ迅速に接続することができる。
【００１３】
請求項２の発明によれば、光パワーメータによって、接続箇所を含む光ファイバの損失を実測することができる。
【００１４】
請求項３の発明によれば、作業者端末によって、損失の測定結果を集約することができる。
【００１５】
請求項４の発明によれば、第１の光信号装置によって、第１の光ケーブルの他方の端部から、第１の光ケーブルの各心線に対応する周波数を持つ心線識別情報を光信号として入力して伝送させ、第２の光信号装置によって、第２の光ケーブルの他方の端部から、第２の光ケーブルの各心線に対応する周波数を持つ心線識別情報を光信号として入力して伝送させ、融着接続機は、接続対象の第１の光ケーブルの心線及び第２の光ケーブルの心線を伝送され、一方の端部で受信された光信号を基に認識された両心線識別情報が、一致するか否かを融着作業前に判定し、両前記心線識別情報が一致すると、融着接続をするので、対応する光ファイバの心線同士を正確かつ迅速に接続することができる。
【図面の簡単な説明】
【００１６】
【図１】この発明の一実施の形態による光ファイバ心線融着システムの構成を説明するための説明図である。
【図２】同光ファイバ心線融着システムの光信号装置の構成を示す斜視図である。
【図３】同光ファイバ心線融着システムの光信号装置の構成を示すブロック図である。
【図４】同光ファイバ心線融着システムの光信号装置の構成を示す斜視図である。
【図５】同光ファイバ心線融着システムの光信号装置の構成を示すブロック図である。
【図６】同光信号装置の光伝送部の構成を説明するための説明図である。
【図７】同光ファイバ心線融着システムの融着接続機の構成を示すブロック図である。
【図８】同融着接続機の光受信部の構成を説明するための説明図である。
【図９】同光受信部の構成及び機能を説明するための説明図である。
【図１０】同光受信部の構成及び機能を説明するための説明図である。
【図１１】同融着接続機の動作を説明するための処理手順図である。
【図１２】同光信号装置の動作を説明するための処理手順図である。
【図１３】同光ファイバ心線融着システムの作業者用端末の動作を説明するための処理手順図である。
【発明を実施するための形態】
【００１７】
次に、この発明の実施の形態について、図面を用いて詳しく説明する。
【００１８】
図１は、この発明の一実施の形態による光ファイバ心線融着システムの構成を説明するための説明図、図２は、同光ファイバ心線融着システムの光信号装置の構成を示す斜視図、図３は、同光ファイバ心線融着システムの光信号装置の構成を示すブロック図、図４は、同光ファイバ心線融着システムの光信号装置の構成を示す斜視図、図５は、同光ファイバ心線融着システムの光信号装置の構成を示すブロック図、図６は、同光信号装置の光伝送部の構成を説明するための説明図、図７は、同光ファイバ心線融着システムの融着接続機の構成を示すブロック図、図８は、同融着接続機の光受信部の構成を説明するための説明図、図９及び図１０は、同光受信部の構成及び機能を説明するための説明図、図１１は、同融着接続機の動作を説明するための処理手順図、図１２は、同光信号装置の動作を説明するための処理手順図、図１３は、同光ファイバ心線融着システムの作業者用端末の動作を説明するための処理手順図である。
【００１９】
図１（ａ）及び図１（ｂ）に示すように、この実施の形態の光ファイバ心線融着システム１は、通信局２ａからの光ケーブル４ａの光ファイバの心線と通信局２ｂからの光ケーブル４ｂの光ファイバの心線とを融着接続するための融着接続機６と、通信局２ａにおいて光ケーブル４ａの光ファイバに対応する心線番号情報（心線識別情報）を入力するための光信号装置９ａと、通信局２ｂにおいて光ケーブル４ｂの光ファイバに対応する心線番号情報を入力するための光信号装置９ｂと、光信号装置９ａ，９ｂにネットワーク１２を介して接続され、作業員が接続作業箇所で用いる作業員端末１１とを備えて概略構成されている。
【００２０】
この実施の形態では、光ケーブル４ａ（４ｂ）は、例えば、複数の８心のテープ心線５ａ（５ｂ）が複数のスロットルに収容された構造を有し、融着接続機６は、８心のテープ心線５ａ（５ｂ）単位で接続し、光信号装置９ａ，９ｂも８心用に対応している。なお、図１（ａ）のＡａ（Ａｂ）部と、対応する図１（ｂ）のＢａ（Ｂｂ）部とは、光トレイ７ａ（７ｂ）を示している。また、図１（ｂ）のＣａ（Ｃｂ）部は、光トレイ７ａ（７ｂ）の接続端子の配置領域を示している。
【００２１】
光信号装置９ａは、通信局２ａにおいて光中間配線盤（以下、光ＩＤＦ（Ｉｎｔｅｒｍｅｄｉａｔｅ  Ｄｉｓｔｒｉｂｕｔｉｏｎ  Ｆｒａｍｅ）という。）３ａを構成する光トレイ７ａにコネクタ８ａ１，８ａ２，…，８ａ８を介して接続される。光信号装置９ｂも、通信局２ｂにおいて光ＩＤＦ３ｂを構成する光トレイ７ｂにコネクタ８ｂ１，８ｂ２，…，８ｂ８を介して接続される。
【００２２】
また、光信号装置９ａは、図２及び図３に示すように、接続部１４１，１４２，…１４８を有するとともに、制御部１６ａと、光伝送部１８ａと、通信部１９ａと、操作部２１ａとを有している。光信号装置９ｂは、光信号装置９ａと同様に、図４及び図５に示すように、接続部１５１，１５２，…１５８を有するとともに、制御部１６ｂと、光パワーメータ１７と、光伝送部１８ｂと、通信部１９ｂと、操作部２１ｂとを有している。この実施の形態では、一方の通信局２ｂで用いられる光信号装置９ｂのみ、光パワーメータ１７を備えたが、両方の光信号装置９ａ，９ｂに備えるようにしても良い。
【００２３】
光信号装置９ａ，９ｂの制御部１６ａ，１６ｂは、ＣＰＵ（Ｃｅｎｔｒａｌ  Ｐｒｏｃｅｓｓｉｎｇ  Ｕｎｉｔ）等を含み、所定のプログラムに従って構成各部を制御する主制御部と、ＲＯＭやＲＡＭ等の半導体メモリを含み、各種制御プログラムやデータが記憶される記憶部とを有している。
【００２４】
光伝送部１８ａ，１８ｂは、図６に示すように、入力部２２１，２２２，…，２２８と、変調回路２３１，２３２，…，２３８と、レーザダイオード２４１，２４２，…，２４８と、電源回路２５と、ダイオード２６１，２６２，…，２６８と、出力部２７１，２７２，…，２７８とを有している。入力部２２１，２２２，…，２２８には、心線番号に対応するアナログ信号（電気信号）が入力され、発光素子としてのレーザダイオード２４１，２４２，…，２４８に供給される。アナログ信号の周波数は、例えば、（１番：１０ｋＨｚ、２番：２０ｋＨｚ、３番：３０ｋＨｚ、４番：４０ｋＨｚ、５番：５０ｋＨｚ、６番：６０ｋＨｚ、７番：７０ｋＨｚ、８番：８０ｋＨｚ）のように対応付けられる。変調回路２３１，２３２，…，２３８においては、直接強度を変調する直接ＩＭ（Ｉｎｔｅｎｓｉｔｙ  Ｍｏｄｕｌａｔｉｏｎ）方式が用いられる。光信号装置９ａ，９ｂの通信部１９ａ，１９ｂは、ネットワーク１２に接続され、所定のプロトコルに従ってデータ通信を行う。光信号装置９ａ，９ｂの操作部２１ａ，２１ｂは、電源スイッチ等を含んでいる。
【００２５】
融着接続機６は、図７に示すように、制御部２９と、光受信部３１と、操作部３２と、表示部３３と、撮像部３４と、画像処理部３５と、アクチュエータ３６と、熱源制御部３７と、放電電極３８とを有している。
【００２６】
制御部２９は、ＣＰＵ等を含み、所定のプログラムに従って構成各部を制御する主制御部と、ＲＯＭやＲＡＭ等の半導体メモリを含み、各種制御プログラムやデータが記憶される記憶部とを有している。この実施の形態の融着接続機６においては、本来の融着接続に係る処理のほか、モード設定処理や、心線情報認識処理、心線情報表示制御処理、心線一致判定処理等が実行される。
【００２７】
融着接続機６は、モード設定処理で、例えば、操作部３２からの入力に従って、光心線確認モードや、融着作業モード等に処理モードを設定する。融着接続機６は、心線情報認識処理で、光受信部３１からの受信情報に基づいて、セットされた光ファイバの各心線の心線番号を認識する。こうして、融着前に心線番号が読み取られる。融着接続機６は、心線情報表示制御処理で、認識した心線番号（１番：０１、２番：０２、…、８番：０８）や、メッセージ情報等を表示部３３に表示させる。融着接続機６は、心線一致判定処理で、認識した心線番号に基づいて、接続対象の光ケーブル４ａ，４ｂの対応する心線同士が番号が一致しているか否か判定する。
【００２８】
光受信部３１は、図８に示すように、入力部４１１，４１２，…，４１８と、フォトダイオード４２１，４２２，…，４２８と、前置増幅器４３１，４３２，…，４３８と、ローパスフィルタ４４１，４４２，…，４４８と、増幅器４５１，４５２，…，４５８と、出力部４６１，４６２，…，４６８とを有している。フォトダイオード４２１，４２２，…，４２８は、図９及び図１０に示すように、４５度偏角プリズム４８を介して、対応する光ファイバのテープ心線５ａ（５ｂ）の心線４７から光信号を受信し、出力部４６１，４６２，…，４６８からは、心線番号に対応する周波数のアナログ信号が出力される。
【００２９】
作業員端末１１は、例えば、無線通信機能を有する移動可能なパーソナルコンピュータから構成され、所定のプログラムに従って構成各部を制御する制御部と、各種制御プログラムやデータが記憶される記憶部と、所定のプロトコルに従ってデータ通信を行うための通信部と、キーボードを含む操作部と、液晶ディスプレイ等からなる表示部とを有している。上記制御部は、ＣＰＵ等からなり、上記記憶部に記憶された所定の制御プログラムに従って構成各部を制御する。
【００３０】
作業員端末１１においては、光パワーメータ切換指令送信処理や、損失測定結果取得処理等が実行される。作業員端末１１は、光パワーメータ切換指令送信処理で、操作部を介した切換要求操作があると、光信号装置９ｂで光パワーメータ１７へ切り換えるための切換指令を光信号装置９ｂへ送信する。作業員端末１１は、損失測定結果取得処理で、光信号装置９ｂから損失測定結果を受信すると、記憶部に記憶させる。作業員端末１１の記憶部は、ＲＯＭ、ＲＡＭや、ＨＤ（ハードディスク）、ＣＤ−ＲＯＭ等が装着されるＨＤＤ、ＣＤ−ＲＯＭドライブ等から構成されている。
【００３１】
また、ネットワーク１２は、移動通信網を含んでいても良い。また、ネットワーク１２は、専用の通信路を用いたネットワークのほか、ＦＴＴＨ（Ｆｉｂｅｒ  Ｔｏ  Ｔｈｅ  Ｈｏｍｅ）回線、ＡＤＳＬ（Ａｓｙｍｍｅｔｒｉｃ  Ｄｉｇｉｔａｌ  Ｓｕｂｓｃｒｉｂｅｒ  Ｌｉｎｅ）等を用いたネットワークを含んでいても良い。
【００３２】
次に、図１１乃至図１３を参照して、光ファイバ心線融着システム１の動作について説明する。接続作業箇所においては、まず、作業対象の光ケーブルの外皮を剥き、光ファイバをアルコール等を使用して清掃し、指定の長さに切断する。次に、光ファイバを融着接続機６にセットし、光心線確認モードに切り換えておく。また、通信局２ａ，２ｂにおいては、光信号装置９ａと光トレイ７ａとを、コネクタ８ａ１，８ａ２，…，８ａ８を介して接続し、光信号装置９ｂと光トレイ７ｂとをコネクタ８ｂ１，８ｂ２，…，８ｂ８を介して接続する。光信号装置９ａの光伝送部１８ａ及び光信号装置９ｂの光伝送部１８ｂからは、テープ心線５ａ，５ｂの全心線において、心線番号に対応するアナログ信号が出力されることとなる。
【００３３】
次に、融着接続機６の動作について述べる。融着接続機６は、光ファイバがセットされ（ステップＳＡ１１（図１１））、光心線確認モードとされると（ステップＳＡ１２）、心線番号を読み取り（ステップＳＡ１３）、表示部３３に表示させる（ステップＳＡ１４）。ステップＳＡ１５で、融着接続機６は、両心線番号が一致するか否か判定し、一致して正確な番号順となっている場合は、ステップＳＡ１６へ進み、不一致の場合は、ステップＳＡ１７で、心線番号不一致の旨の表示をさせて、ステップＳＡ１１へ戻る。ステップＳＡ１６で、融着接続機６は、処理モードを融着作業モードに変更して、光ファイバを融着接続して、ステップＳＡ１８で、推定損失を表示させる。次に、ステップＳＡ１９で、融着接続機６は、次の接続がある場合は、ステップＳＡ１１へ戻り、次の接続がない場合は処理を終了する。
【００３４】
光信号装置９ａ（９ｂ）は、光コネクタが接続されると（ステップＳＢ１１（図１２））、対応する心線番号情報を送信する（ステップＳＢ１２）。ステップＳＢ１３で、光信号装置９ｂは、作業員端末１１から通信部１９ｂを介して切換指令を受信すると、制御部１６ｂの制御によって光パワーメータ１７に切り換え（ステップＳＢ１４）、光パワーメータ１７が損失を測定し（ステップＳＢ１５）、測定結果を通信部１９ｂを介して作業員端末１１へ送信する（ステップＳＢ１６）。次に、ステップＳＢ１７で、光信号装置９ａ（９ｂ）は、次の接続がある場合は、ステップＳＢ１１へ戻り、次の接続がない場合は処理を終了する。
【００３５】
作業員端末１１は、切換要求操作があった場合は（ステップＳＣ１１（図１３））、切換指令を光信号装置９ｂヘ送信する（ステップＳＣ１２）。作業員端末１１は、測定結果を受信すると（ステップＳＣ１３）、記憶部に記憶させる（ステップＳＣ１４）。
【００３６】
こうして、この実施の形態の構成によれば、融着接続機６が、光信号装置９ａ，９ｂから送られてきた心線情報に基づいて、両心線番号が一致するか否か判定するので、対応する光ファイバの心線同士を正確にかつ迅速に接続することができる。
【００３７】
以上、この発明の実施の形態について図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、融着接続機６において、モード設定処理や、心線情報認識処理、心線情報表示制御処理、心線一致判定処理等は、制御部が、対応する制御プログラムを実行することによって行うほかに、一部又は全部を専用のハードウェアを用いて行い、他の一部を対応するプログラムを実行して処理するようにしても良い。また、それぞれ別々のＣＰＵが実行しても良いし、例えば、単一のＣＰＵが実行しても良い。
【産業上の利用可能性】
【００３８】
専用線のほか、ＯＰＧＷ等の特に重要回線の光ケーブルに適用できる。
【符号の説明】
【００３９】
１  光ファイバ心線融着システム
４ａ  光ケーブル（第１の光ケーブル）
４ｂ  光ケーブル（第２の光ケーブル）
６  融着接続機
９ａ  光信号装置（第１の光信号装置）
９ｂ  光信号装置（第２の光信号装置）
１１  作業者端末
１２  ネットワーク
１７  光パワーメータ
【図１】
0005809808.tif 000002
【図２】
0005809808.tif 000003
【図３】
0005809808.tif 000004
【図４】
0005809808.tif 000005
【図５】
0005809808.tif 000006
【図６】
0005809808.tif 000007
【図７】
0005809808.tif 000008
【図８】
0005809808.tif 000009
【図９】
0005809808.tif 000010
【図１０】
0005809808.tif 000011
【図１１】
0005809808.tif 000012
【図１２】
0005809808.tif 000013
【図１３】
0005809808.tif 000014